(57)【要約】  食器洗浄機（１）は、食器（７）が配置される食器配置台（６）と、運転モードを選択するモード選択部（１０２）と、洗浄ユニット（２）と、乾燥ユニット（３）とを備える。洗浄ユニット（２）は、洗浄水を噴出するノズル（２１）を有し、食器配置台（６）上の食器を洗浄する。乾燥ユニット（３）は、空気を送風する送風機（３１）を有し、食器配置台（６）上の食器（７）を乾燥する。洗浄ユニット（２）は、運転モードに応じて、ノズル（２１）から噴出する洗浄水の種類を切り替える。乾燥ユニット（３）は、運転モードに応じて、送風機（３１）から送風する空気の温度を切り替える。
2019087283.tif 000002
【特許請求の範囲】
【請求項１】
食器が配置される食器配置台と、
運転モードを選択するモード選択部と、
洗浄水を噴出するノズルを有し、前記食器配置台上の前記食器を洗浄する洗浄ユニットと、
空気を送風する送風機を有し、前記食器配置台上の前記食器を乾燥する乾燥ユニットと
を備え、
前記洗浄ユニットは、選択された運転モードに応じて、前記ノズルから噴出する洗浄水の種類を切り替え、
前記乾燥ユニットは、選択された運転モードに応じて、前記送風機から送風する空気の温度を切り替える
食器洗浄機。
【請求項２】
前記洗浄ユニットは、選択された運転モードに応じて、前記ノズルから噴出する洗浄水の水量を切り替える
請求項１に記載の食器洗浄機。
【請求項３】
前記洗浄ユニットは、選択された運転モードに応じて、前記ノズルから噴出する洗浄水の温度を切り替える
請求項１または２に記載の食器洗浄機。
【請求項４】
前記乾燥ユニットは、選択された運転モードに応じて、前記送風機からの送風量を切り替える
請求項１から３までのいずれか１項に記載の食器洗浄機。
【請求項５】
前記食器配置台を含み、種類の異なる複数の食器配置台と、
前記複数の食器配置台のうちの何れかをセットするセット位置と
をさらに備え、
前記モード選択部は、前記セット位置にセットされた前記食器配置台の種類を検出する検出部を有し、検出した前記食器配置台に対応する運転モードを選択する
請求項１から４までのいずれか１項に記載の食器洗浄機。
【請求項６】
前記複数の食器配置台は、互いに異なる形状を有し、
前記検出部は、前記セット位置に置かれた前記食器配置台の形状に基づいて前記食器配置台の種類を検出する
請求項５に記載の食器洗浄機。
【請求項７】
前記複数の食器配置台は、いずれも、種類情報を記憶した媒体を有し、
前記検出部は、前記セット位置にセットされた前記食器配置台の前記媒体の種類情報を読み出し、読み出した種類情報に基づいて前記食器配置台の種類を検出する
請求項５に記載の食器洗浄機。
【請求項８】
前記複数の食器配置台は、重量が互いに異なり、
前記検出部は、前記セット位置にセットされた前記食器配置台の重量に基づいて前記食器配置台の種類を検出する
請求項５に記載の食器洗浄機。
【請求項９】
前記モード選択部は、ユーザが運転モードを選択するモード選択操作部を有する
請求項１〜４までの何れか１項に記載の食器洗浄機。
【請求項１０】
前記洗浄ユニットは、選択された運転モードに応じて、前記ノズルから噴出する洗浄水の水量を、少なくとも、第１の水量と、前記第１の水量よりも小さい第２の水量とで切り替え、
前記乾燥ユニットは、選択された運転モードに応じて、前記送風機から送風する送風量を、少なくとも、第１の送風量と、前記第１の送風量よりも小さい第２の送風量とで切り替える
請求項１に記載の食器洗浄機。
【請求項１１】
前記モード選択部によって第１の運転モードが選択された場合には、前記洗浄ユニットは、洗剤を含まない洗浄水を前記ノズルから噴出する
請求項１０に記載の食器洗浄機。
【請求項１２】
前記モード選択部によって前記第１の運転モードが選択された場合には、前記洗浄ユニットは、前記ノズルから噴出する洗浄水の水量を前記第１の水量とする
請求項１１に記載の食器洗浄機。
【請求項１３】
前記モード選択部によって前記第１の運転モードが選択された場合には、前記乾燥ユニットは、前記洗浄ユニットによる洗浄水の噴出の前に、前記送風機から温度が１２０℃以上の空気を送風する予送風を行う
請求項１１または１２に記載の食器洗浄機。
【請求項１４】
前記予送風では、前記乾燥ユニットは、前記送風機からの送風量を前記第１の送風量とする
請求項１３に記載の食器洗浄機。
【請求項１５】
前記モード選択部によって第２の運転モードが選択された場合には、前記洗浄ユニットは、前記ノズルから噴出する洗浄水の温度を６０℃以下とし、前記乾燥ユニットは、前記送風機から送風する空気の温度を６０℃以下とする
請求項１１から１４までのいずれか１項に記載の食器洗浄機。
【請求項１６】
前記モード選択部によって前記第２の運転モードが選択された場合には、前記乾燥ユニットは、前記送風機からの送風量を前記第１の送風量とする
請求項１５に記載の食器洗浄機。
【請求項１７】
前記モード選択部によって前記第２の運転モードが選択された場合には、前記洗浄ユニットは中性洗剤を含む洗浄水を前記ノズルから噴出する
請求項１５または１６に記載の食器洗浄機。
【請求項１８】
前記モード選択部によって第３の運転モードが選択された場合には、前記洗浄ユニットは、前記ノズルから噴出する洗浄水の温度を１００℃以下とし、前記乾燥ユニットは、前記送風機から送風する空気の温度を１００℃以下とする
請求項１１から１７までのいずれか１項に記載の食器洗浄機。
【請求項１９】
前記モード選択部によって前記第３の運転モードが選択された場合には、前記乾燥ユニットは、前記送風機からの送風量を前記第１の送風量とする
請求項１８に記載の食器洗浄機。
【請求項２０】
前記モード選択部によって第４の運転モードが選択された場合には、前記洗浄ユニットは、研磨剤を含まず中性洗剤を含む洗浄水を前記ノズルから噴出する
請求項１１から１９までのいずれか１項に記載の食器洗浄機。
【請求項２１】
前記モード選択部によって前記第４の運転モードが選択された場合には、前記洗浄ユニットは、前記ノズルから噴出する洗浄水の水量を前記第１の水量とする
請求項２０に記載の食器洗浄機。
【請求項２２】
前記モード選択部によって第５の運転モードが選択された場合には、前記洗浄ユニットは、前記ノズルから噴出する洗浄水の水量を前記第２の水量とする
請求項１１から２１までのいずれか１項に記載の食器洗浄機。
【請求項２３】
前記モード選択部によって前記第５の運転モードが選択された場合には、前記乾燥ユニットは、前記送風機からの送風量を前記第２の送風量とする
請求項２２に記載の食器洗浄機。
【請求項２４】
前記モード選択部によって前記第５の運転モードが選択された場合には、前記洗浄ユニットは、研磨剤を含まず中性洗剤を含む洗浄水を前記ノズルから噴出する
請求項２２または２３に記載の食器洗浄機。
【請求項２５】
前記食器配置台を保持して搬送路に沿って搬送する可動体をさらに備え、
前記乾燥ユニットと前記洗浄ユニットとは、前記搬送路に沿って配置されている
請求項１から２４までのいずれか１項に記載の食器洗浄機。
【請求項２６】
洗浄エリアと乾燥エリアとを有するシンクと
食器が配置される食器配置台と、
前記食器配置台を、前記洗浄エリアと前記乾燥エリアとを通過するように搬送する可動体と、
前記洗浄エリアに洗浄水を噴出するノズルを有する洗浄ユニットと、
前記乾燥エリアに空気を送風する送風機を有する乾燥ユニットと
を備えた食器洗浄機。
【請求項２７】
前記洗浄エリアは、前記シンクの底部に沿って設けられ、
前記乾燥エリアは、前記シンクの周壁部に沿って設けられる
請求項２６に記載の食器洗浄機。
【請求項２８】
前記可動体は、前記洗浄エリア内を水平に移動し、前記乾燥エリア内を垂直に移動する
請求項２７に記載の食器洗浄機。
【請求項２９】
前記シンクには、前記洗浄エリアに隣接して、前記可動体を収納可能な退避部が設けられ、
前記可動体が前記洗浄エリア内で移動を開始したのちに、別の可動体が前記退避部から前記洗浄エリア内に移動する
請求項２６から２８までのいずれか１項に記載の食器洗浄機。
【請求項３０】
前記シンクの前記乾燥エリアの上方に、前記食器配置台を収納する収納ユニットをさらに備える
請求項２６から２９までのいずれか１項に記載の食器洗浄機。
【請求項３１】
前記可動体は、前記シンクの前記乾燥エリアを通過して、前記収納ユニットの内部に侵入する
請求項３０に記載の食器洗浄機。
【請求項３２】
前記可動体は、前記シンクの前記乾燥エリアを通過して、前記シンクの上端よりも上方の位置で、前記食器配置台を保持したまま停止する
請求項２６から２９までのいずれか１項に記載の食器洗浄機。
【請求項３３】
前記シンクは、前記洗浄エリアの上方に入口エリアを有し、
前記洗浄エリアと前記入口エリアとを仕切る仕切板をさらに備える
請求項２６から３２までのいずれか１項に記載の食器洗浄機。
【請求項３４】
前記仕切板は、穴を有し、
前記シンクは、その底部に排水溝を有する
請求項３３に記載の食器洗浄機。
【請求項３５】
前記仕切板を、前記洗浄エリアと前記入口エリアとを仕切る閉位置と、前記洗浄エリアと前記入口エリアとを連通する開位置との間で駆動する仕切板駆動機構をさらに備える
請求項３３または３４に記載の食器洗浄機。
【請求項３６】
前記シンクには、前記仕切板を取り外し可能に支持する仕切板支持部が設けられている
請求項３３から３５までのいずれか１項に記載の食器洗浄機。
【請求項３７】
前記シンクの前記入口エリアと前記乾燥エリアとを仕切る仕切壁をさらに備える
請求項３３から３６までのいずれか１項に記載の食器洗浄機。
【請求項３８】
前記シンクは、前記洗浄エリアの上方に前記乾燥エリアを有し、
前記洗浄エリアと前記乾燥エリアとを仕切る、取り外し可能な仕切板をさらに備える
請求項２６から３２までのいずれか１項に記載の食器洗浄機。
【請求項３９】
前記可動体が前記洗浄エリアに設けられた待機位置にあるときに、前記可動体に前記食器配置台が載せられたことを検知する検知センサをさらに備える
請求項２６から３８までのいずれか１項に記載の食器洗浄機。
【請求項４０】
食器が配置される食器配置台を用い、
運転モードを選択するステップと、
洗浄水を噴出するノズルを用い、選択された運転モードに応じた洗浄水を前記ノズルから噴出することにより、前記食器配置台に配置された前記食器を洗浄するステップと、
空気を送風する送風機を用い、選択された運転モードに応じた温度の空気を前記送風機から送風することにより、前記食器配置台に配置された前記食器を乾燥するステップと
を有する食器洗浄方法。
【発明の詳細な説明】
【技術分野】
【０００１】
本発明は、食器洗浄機および食器洗浄方法に関する。
【背景技術】
【０００２】
従来より、食器を洗浄して乾燥する食器洗浄機が広く用いられている。例えば、特許文献１には、流し台のシンクに、洗浄カゴおよび洗浄ノズルを設けた食洗機能付きシンクが開示されている。
【先行技術文献】
【特許文献】
【０００３】
【特許文献１】特開２０１７−８９１００号公報（図２）
【発明の概要】
【発明が解決しようとする課題】
【０００４】
しかしながら、食器の洗浄および乾燥の効率をさらに向上することが求められている。【０００５】
本発明は、上記の課題を解決するためになされたものであり、食器の洗浄および乾燥の効率を向上することができる食器洗浄機および食器洗浄方法を提供することを目的とする。
【課題を解決するための手段】
【０００６】
本発明の食器洗浄機は、食器が配置される食器配置台と、運転モードを選択するモード選択部と、洗浄水を噴出するノズルを有し、食器配置台上の食器を洗浄する洗浄ユニットと、空気を送風する送風機を有し、食器配置台上の食器を乾燥する乾燥ユニットとを備える。洗浄ユニットは、選択された運転モードに応じて、ノズルから噴出する洗浄水の種類を切り替える。乾燥ユニットは、選択された運転モードに応じて、送風機から送風する空気の温度を切り替える。【０００７】
本発明の食器洗浄機は、また、洗浄エリアと乾燥エリアとを有するシンクと、食器が配置される食器配置台と、食器配置台を、洗浄エリアと乾燥エリアとを通過するように搬送する可動部と、洗浄エリアに洗浄水を噴出するノズルを有する洗浄ユニットと、乾燥エリアに空気を送風する送風機を有する乾燥ユニットとを備える。【０００８】
本発明の食器洗浄方法は、食器が配置される食器配置台を用い、運転モードを選択するステップと、洗浄水を噴出するノズルを用い、運転モードに応じた洗浄水をノズルから噴出することにより、食器配置台に配置された食器を洗浄するステップと、空気を送風する送風機を用い、運転モードに応じた温度の空気を送風機から送風することにより、食器配置台に配置された食器を乾燥するステップとを有する。
【発明の効果】
【０００９】
本発明によれば、運転モードに応じて洗浄水の種類および送風温度を切り替えることにより、多様な食器を洗浄することが可能になり、作業効率が向上する。また、シンクに洗浄エリアと乾燥エリアとを設け、食器配置台を可動体で搬送する構成により、シンクの周囲のスペースを有効に利用することが可能になり、スペース効率が向上する。
【図面の簡単な説明】
【００１０】
【図１】実施の形態１の食器洗浄機を備えたキッチンを示す斜視図である。
【図２】実施の形態１の食器洗浄機を示す断面図である。
【図３】実施の形態１の食器洗浄機のシンクの仕切板の例を示す模式図（Ａ）、（Ｂ）である。
【図４】実施の形態１の食器洗浄機の仕切板が回動している状態を示す断面図である。
【図５】実施の形態１の食器洗浄機の仕切板が開位置に達した状態を示す断面図である。
【図６】実施の形態１の食器洗浄機の可動体と食器配置台とを示す斜視図である。
【図７】実施の形態１の食器洗浄機の可動体を含む搬送機構を示す模式図である。
【図８】実施の形態１の食器洗浄機の可動体と食器配置台とを示す斜視図である。
【図９】実施の形態１の食器洗浄機の５種類の食器配置台を示す模式図（Ａ）〜（Ｅ）である。
【図１０】実施の形態１の食器洗浄機の食器配置台に取り付けられたＩＣタグと、ＩＣタグの情報を読み取る読取装置とを示す図である。
【図１１】実施の形態１の食器洗浄機の食器配置台の重量を検出する重量センサを示す図である。
【図１２】実施の形態１の洗浄ユニットの洗剤供給部を示す模式図である。
【図１３】実施の形態１の食器洗浄機の収納ユニット（Ａ）と、収納ユニットに設けられた保持部（Ｂ）を示す模式図である。
【図１４】実施の形態１の食器洗浄機の収納ユニットへの食器配置台の収納方法を示す模式図（Ａ）〜（Ｃ）である。
【図１５】実施の形態１の食器洗浄機の制御系を示すブロック図である。
【図１６】実施の形態１の運転モードの内容を示す一覧表である。
【図１７】実施の形態１の食器洗浄機の動作を示すフローチャートである。
【図１８】実施の形態１の食器洗浄機の動作を示す断面図である。
【図１９】実施の形態１の食器洗浄機の動作を示す断面図である。
【図２０】実施の形態１の食器洗浄機の動作を示す断面図である。
【図２１】実施の形態１の食器洗浄機の動作を示す断面図である。
【図２２】実施の形態１の食器洗浄機の動作を示す断面図である。
【図２３】実施の形態１の食器洗浄機の動作を示す断面図である。
【図２４】実施の形態２の食器洗浄機を示す断面図である。
【図２５】実施の形態３の食器洗浄機を示す断面図である。
【図２６】実施の形態４の食器洗浄機を示す断面図である。
【図２７】実施の形態５の食器洗浄機を示す断面図である。
【図２８】実施の形態５の食器洗浄機を示す断面図である。
【発明を実施するための形態】
【００１１】
実施の形態１．
＜食器洗浄機１の全体構成＞
図１は、本発明の実施の形態１の食器洗浄機１を備えたキッチン８を示す斜視図である。実施の形態１の食器洗浄機１は、家庭用のキッチン８に組み込まれている。キッチン８は、上面に天板８ａを有する。天板８ａの例えば中央部には、シンク１０が設けられている。キッチン８の前面８ｂは、ユーザに対向する面である。
【００１２】
図１において、キッチン８とユーザとが対向する方向を、Ｘ方向とする。より具体的には、キッチン８からユーザに向かう方向を＋Ｘ方向とし、その反対方向を−Ｘ方向とする。また、キッチン８に対向するユーザを基準とした左右方向を、Ｙ方向とする。より具体的には、ユーザを基準とした右方向を＋Ｙ方向とし、左方向を−Ｙ方向とする。Ｘ方向とＹ方向とを含む面（すなわちＸＹ面）は、水平面である。Ｘ方向およびＹ方向に直交する方向（すなわち鉛直方向）を、Ｚ方向とする。より具体的には、上方を＋Ｚ方向とし、下方を−Ｚ方向とする。なお、±Ｘ方向、±Ｙ方向および±Ｚ方向は、説明の便宜上のものである。
【００１３】
図２は、実施の形態１の食器洗浄機１を示す断面図である。食器洗浄機１は、上述したシンク１０と、洗浄対象の食器７を配置する食器配置台６と、食器配置台６を搬送する可動体５と、食器配置台６上の食器７を洗浄する洗浄ユニット２と、食器配置台６上の食器７を乾燥する乾燥ユニット３と、食器配置台６を収納する収納ユニット４とを備える。
【００１４】
シンク１０は、周壁部１４と底部１５とを有する。底部１５は、ＸＹ面と平行であり、例えば長方形形状を有する。周壁部１４は、底部１５の端縁から天板８ａ（図１）まで上方（すなわち＋Ｚ方向）に延在する。底部１５には、シンク１０内の水を排出する排水溝１８が形成されている。排水溝１８は、図示しない排出管を介して下水道配管に接続されている。
【００１５】
シンク１０の内部は、入口エリア１１、洗浄エリア１２および乾燥エリア１３の３つに分割されている。洗浄エリア１２は、シンク１０の底部１５に沿って設けられている。入口エリア１１と乾燥エリア１３とは、洗浄エリア１２の上方（すなわち＋Ｚ方向）に設けられている。また、入口エリア１１と乾燥エリア１３とは、Ｙ方向に互いに隣接し、仕切壁１７によって仕切られている。
【００１６】
洗浄ユニット２は、洗浄水を洗浄エリア１２に噴出する複数のノズル２１を有する。ノズル２１は、底部１５に、Ｘ方向およびＹ方向に配列されている。また、一部のノズル２１は、周壁部１４のうち、洗浄エリア１２に面する部分にも配列されている。洗浄水は、例えば、水道水に中性洗剤またはアルカリ性洗剤等の洗剤を混合したもの、若しくは、洗剤を混合しない水道水である。
【００１７】
乾燥ユニット３は、乾燥エリア１３に空気を送風する複数の送風機３１を有する。送風機３１は、周壁部１４のうち乾燥エリア１３に面する壁部分１４ａに、Ｘ方向およびＺ方向に配列されている。送風機３１は、常温の空気または加熱された空気を噴出する。
【００１８】
＜仕切板１６およびその回動機構＞
シンク１０の入口エリア１１と洗浄エリア１２との間には、仕切板１６が配置されている。仕切板１６は、板状部材であって、排水用の穴を有している。図３（Ａ）および（Ｂ）は、仕切板１６の穴１６ａの例を示す模式図である。穴１６ａの形状は、図３（Ａ）では円形であるが、水を通過させることができる形状であればよい。また、図３（Ａ）では、仕切板１６に複数の穴１６ａを設けているが、穴１６ａの数は一つでもよい。また、図３（Ｂ）に示すように、仕切板１６の全体を網目状に形成し、その網目部分が穴１６ａを構成していてもよい。
【００１９】
図２に戻り、仕切板１６は、入口エリア１１と洗浄エリア１２とを仕切る閉位置と、入口エリア１１と洗浄エリア１２とを連通する開位置との間で、回動可能に構成されている。仕切板１６が閉位置にあるときには、仕切板１６の板面はＸＹ面と平行、すなわち水平である。
【００２０】
図４は、食器洗浄機１の仕切板１６を閉位置から開位置に向けて回動させた状態を示す断面図である。仕切板１６の仕切壁１７側の端部には、Ｘ方向に延在する軸部が設けられている。この軸部は、周壁部１４を貫通してシンク１０の外部に突出し、ジョイント１６ｂを介して、仕切板回動モータ１１０に連結されている。仕切板１６は、仕切板回動モータ１１０の駆動により、Ｘ方向の回転軸を中心として図中矢印で示すように回動する。仕切板回動モータ１１０およびジョイント１６ｂは、仕切板駆動機構を構成する。
【００２１】
図５は、食器洗浄機１の仕切板１６が開位置まで回動した状態を示す断面図である。仕切板１６が閉位置（図２）から９０度回動すると、入口エリア１１と洗浄エリア１２とが連通される。この状態で、仕切板１６は、仕切壁１７とＹ方向に重なり合う。
【００２２】
なお、図２，３，５以外の食器洗浄機１の断面図では、ジョイント１６ｂおよび仕切板回動モータ１１０を省略する。仕切板１６を回動させる代わりに、仕切板１６を手動で取り外すようにしてもよいが、これについては実施の形態３（図２５）で説明する。
【００２３】
＜食器配置台６およびその搬送機構＞
図６は、食器７（図５）を配置する食器配置台６と、この食器配置台６を保持して搬送する可動体５とを示す斜視図である。食器配置台６は、例えば板状の部材であるが、これに限定されるものではない。食器配置台６の＋Ｚ側の面である上面６５には、食器７（図２）が載せられる。食器配置台６の上面６５は、平面であってもよいし、食器７を保持する凹凸を設けてもよい。
【００２４】
可動体５は、食器配置台６を保持して、洗浄エリア１２（図２）内をＹ方向に移動し、乾燥エリア１３内をＺ方向に移動する。可動体５の＋Ｚ側の面である上面５０には、食器配置台６が保持される。可動体５の上面５０は、平面であってもよいし、食器配置台６に係合する凹凸を設けてもよい。可動体５のＸ方向の長さは、食器配置台６のＸ方向の長さよりも短い。
【００２５】
可動体５の−Ｚ側の面である底面５３には、Ｘ方向を軸方向とする第１の駆動モータＭ１が取り付けられ、この第１の駆動モータＭ１の出力軸には、第１のギア５１が取り付けられている。可動体５の＋Ｙ方向の端面５４には、Ｘ方向を軸方向とする第２の駆動モータＭ２が取り付けられ、この第２の駆動モータＭ２の出力軸には、第２のギア５２が取り付けられている。
【００２６】
第１の駆動モータＭ１および第２の駆動モータＭ２を駆動するための電力は、可動体５に搭載したバッテリーから供給してもよく、また、シンク１０の外部からフレキシブルケーブルまたは無線によって供給してもよい。また、第１の駆動モータＭ１および第２の駆動モータＭ２への駆動信号は、シンク１０の外部に設けられた制御部１００（図１５）からフレキシブルケーブルまたは無線によって伝達する。
【００２７】
また、可動体５のＸ方向の各端面５８には、Ｘ方向を軸方向とする被案内部材としてのガイドピン５５が突出するように形成されている。各端面５８には、２つのガイドピン５５が、Ｙ方向に距離を開けて、且つＺ方向位置が互いに同じになるように形成されている。
【００２８】
図７は、食器洗浄機１において食器配置台６を搬送するための搬送機構を示す図である。シンク１０の底部１５には、Ｙ方向に延在する第１のラック５６が配置されている。第１のラック５６は、Ｙ方向に配列された複数の歯５６ａを有する。また、シンク１０の周壁部１４の壁部分１４ａには、Ｚ方向に延在する第２のラック５７が配置されている。第２のラック５７は、Ｚ方向に配列された複数の歯５７ａを有する。第２のラック５７は、収納ユニット４内にも延在している。
【００２９】
可動体５が洗浄エリア１２にあるときには、可動体５の第１のギア５１が第１のラック５６と噛み合う。第１の駆動モータＭ１が回転すると、第１のギア５１と第１のラック５６との噛み合いにより、可動体５が洗浄エリア１２内でＹ方向に移動する。
【００３０】
可動体５が移動範囲の＋Ｙ方向端部まで移動すると、第２のギア５２が第２のラック５７と噛み合う。第２の駆動モータＭ２が回転すると、第２のギア５２と第２のラック５７との噛み合いにより、可動体５が乾燥エリア１３内でＺ方向に移動する。
【００３１】
シンク１０の周壁部１４のＸ方向の両壁部には、可動体５のガイドピン５５に係合するガイド溝８０（図７には一点鎖線で示す）がそれぞれ形成されている。各ガイド溝８０は、Ｙ方向に延在するＹ方向溝部８１と、Ｚ方向に延在する２つのＺ方向溝部８２とを有する。Ｙ方向溝部８１には２つのガイドピン５５が係合し、Ｚ方向溝部８２にはガイドピン５５が１つずつ係合する。Ｚ方向溝部８２は、収納ユニット４内にも形成されている。可動体５、第１のラック５６、第２のラック５７およびガイド溝８０により、搬送機構が構成される。
【００３２】
なお、図７以外の食器洗浄機１の断面図では、駆動モータＭ１，Ｍ２、ギア５１，５２およびラック５６，５７を省略する。また、図６および図７に示した搬送機構はあくまでも一例であり、食器配置台６を、洗浄エリア１２と乾燥エリア１３とを通過させるように搬送することができれば、どのような搬送機構を用いても良い。
【００３３】
図５に戻り、可動体５は洗浄エリア１２においてＹ方向に移動するが、その移動範囲における−Ｙ方向の端部を、可動体５の待機位置と称する。可動体５の待機位置は、入口エリア１１の下方（すなわち−Ｚ方向）にある。
【００３４】
図５に示すように仕切板１６が開位置まで回動することにより、ユーザが可動体５上に食器配置台６を載せることが可能になる。ユーザが食器配置台６を載せる位置（すなわち待機位置にある可動体５の上部）を、セット位置と称する。
【００３５】
＜食器配置台６の種類検出＞
食器洗浄機１は、食器７の種類に応じた複数の食器配置台６を備え、食器配置台６毎に異なる運転モードを有している。ここでは、食器洗浄機１は５種類の食器配置台６を備え、５つの運転モードを有しているものとする。
【００３６】
図２に示したように、食器洗浄機１は、ユーザが運転モードを選択するモード選択操作部１０２を有する。モード選択操作部１０２は、例えば、スイッチ、タッチパネルまたはキー等の入力デバイスである。モード選択操作部１０２は、例えばキッチン８の天板８ａ（図１）に配置されるが、ユーザが操作しやすい箇所であれば、どこに配置してもよい。上記の通り、運転モードは食器配置台６の種類に対応しているため、モード選択操作部１０２は、食器配置台６の種類を選択する選択部分ということもできる。
【００３７】
また、モード選択操作部１０２の代わりに、食器配置台６の種類を検出する検出部を設けてもよい。以下、この点について説明する。
【００３８】
図８は、食器配置台６の種類を検出する検出部の一構成例を示す図である。食器配置台６の下面６０の四隅には、食器配置台６の種類に応じて、凸部である押圧部６１，６２が形成されている。
【００３９】
図９（Ａ）〜（Ｅ）は、食器配置台６の押圧部の配置を示す模式図である。ここでは、５種類の食器配置台６を、食器配置台６Ａ，６Ｂ，６Ｃ，６Ｄ，６Ｅと称する。図９（Ａ）〜（Ｅ）において、食器配置台６の−Ｙ方向の端部で且つ−Ｘ方向の端部に位置する角部を第１の角部とし、−Ｙ方向の端部で且つ＋Ｘ方向の端部に位置する角部を第２の端部とする。また、＋Ｙ方向の端部で且つ−Ｘ方向の端部に位置する角部を第３の角部とし、＋Ｙ方向の端部で且つ＋Ｘ方向の端部に位置する角部を第４の端部とする。
【００４０】
図９（Ａ）に示す食器配置台６Ａは、第１の角部に、押圧部６１を有する。図９（Ｂ）に示す食器配置台６Ｂは、第１の角部および第２の角部に、押圧部６１，６２を有する。図９（Ｃ）に示す食器配置台６Ｃは、第１の角部、第２の角部および第３の角部に、押圧部６１，６２，６３を有する。図９（Ｄ）に示す食器配置台６Ｄは、第１の角部、第２の角部、第３の角部および第４の角部に、押圧部６１，６２，６３，６４を有する。図９（Ｅ）に示す食器配置台６Ｅは、第２の角部に、押圧部６２を有する。
【００４１】
図８に戻り、可動体５の上部において、食器配置台６の第１〜第４の角部に対向する位置に、圧力センサ７１，７２，７３，７４がそれぞれ配置されている。圧力センサ７１，７２，７３，７４は、押圧部６１，６２，６３，６４に押圧されることにより、ＯＮ信号を出力する。
【００４２】
圧力センサ７１，７２，７３，７４の出力信号は、例えばフレキシブルケーブルまたは無線通信により、後述する制御部１００（図１５）に送信される。圧力センサ７１，７２，７３，７４の出力信号に基づき、可動体５に載せられた食器配置台６の種類（すなわち食器配置台６Ａ〜６Ｅの何れか）を判断することができる。
【００４３】
図１０は、食器配置台６の種類を検出する検出部の別の例を示す図である。図１０に示した例では、食器配置台６に、食器配置台６の種類を表す種類情報を記憶した媒体としてのＩＣタグ６７が取り付けられている。ＩＣタグ６７は、例えば、食器配置台６の−Ｙ方向の端面に取り付けられている。
【００４４】
シンク１０の周壁部１４には、待機位置にある可動体５上の食器配置台６のＩＣタグ６７に対向するように、読取装置１０４が配置されている。読取装置１０４は、例えばＲＦＩＤ（Ｒａｄｉｏ  Ｆｒｅｑｕｅｎｃｙ  Ｉｄｅｎｔｉｆｉｅｒ）リーダである。読取装置１０４は、ＩＣタグ６７に記憶された食器配置台６の種類に関する情報を読み取る。これにより、可動体５に載せられた食器配置台６の種類を検出することができる。
【００４５】
図１１は、食器配置台６の種類を検出する検出部のさらに別の例を示す図である。図１１に示した例では、食器配置台６は、種類ごとに異なる重量を有している。食器配置台６の種類ごとの重量差は、それぞれの食器配置台６に配置されると想定される食器７の重量差よりも大きいものとする。
【００４６】
可動体５には、食器配置台６の重量を検出する重量センサ１０５が搭載されている。重量センサ１０５の出力信号は、例えばフレキシブルケーブルまたは無線通信により、後述する制御部１００（図１５）に送信される。重量センサ１０５が検出した食器配置台６の重量により、可動体５に載せられた食器配置台６の種類を検出することができる。
【００４７】
これらのモード選択操作部１０２、圧力センサ７１〜７４、ＩＣタグ６７および読取装置１０４、並びに重量センサ１０５は、いずれも、運転モードを選択するモード選択部に相当する。
【００４８】
＜洗浄ユニット２の構成＞
次に、洗浄ユニット２の構成について説明する。図２に示したように、洗浄ユニット２は、シンク１０の底部１５に沿って配置された複数のノズル２１を有し、運転モードに応じて選択した洗浄水を洗浄エリア１２内に噴出する。
【００４９】
図１２は、洗浄ユニット２の洗剤供給部を示す模式図である。洗浄ユニット２の洗剤供給部は、種類の異なる洗剤を充填した複数の洗剤容器２２を有する。ここでは、第１の洗剤容器２２ａと、第２の洗剤容器２２ｂと、第３の洗剤容器２２ｃとを用いる。第１の洗剤容器２２ａには、研磨剤を含む中性洗剤が充填されている。第２の洗剤容器２２ｂには、研磨剤を含まない中性洗剤が充填されている。第３の洗剤容器２２ｃには、アルカリ性洗剤が充填されている。
【００５０】
洗剤容器２２ａ，２２ｂ，２２ｃの吹き出し口には、弁２３ａ，２３ｂ，２３ｃがそれぞれ設けられている。弁２３ａ，２３ｂ，２３ｃは、弁開閉モータ２４ａ，２４ｂ，２４ｃによってそれぞれ開閉される。
【００５１】
洗浄ユニット２は、運転モードに応じて、弁２３ａ，２３ｂ，２３ｃのいずれかを開放することにより洗剤を選択し、選択した洗剤を水道水と混合して洗浄水とし、ノズル２１（図２）から噴出する。洗浄ユニット２は、また、弁２３ａ，２３ｂ，２３ｃの全てを閉鎖することにより、洗剤を含まない洗浄水をノズル２１から噴出することもできる。
【００５２】
洗浄ユニット２は、ヒータ２５（図１５）を有し、運転モードに応じた温度に洗浄水を加熱することができる。また、洗浄ユニット２は、ポンプ２６（図１５）を有し、ノズル２１から運転モードに応じた水量の洗浄水を噴出する。なお、洗浄水の水量とは、単位時間当たりにノズル２１から噴出する洗浄水の量である。
【００５３】
＜収納ユニット４の構成＞
次に、収納ユニット４の構成について説明する。図２に示したように、収納ユニット４は、乾燥エリア１３の上方（すなわち＋Ｚ方向）に配置されている。収納ユニット４には、乾燥エリア１３を通過した食器配置台６が可動体５によって搬送される。
【００５４】
図１３（Ａ）は、収納ユニット４を拡大して示す模式図である。収納ユニット４は、天板４１と、Ｘ方向に対向する一対の側板４２とを有する。また、収納ユニット４は、その−Ｙ方向に、ユーザが食器配置台６を取り出すための開口部４６（図２）を有する。
【００５５】
一対の側板４２のＸ方向内側には、それぞれ複数の保持部４３が取り付けられている。Ｘ方向に対向する２つ一組の保持部４３は、食器配置台６をＸ方向両側から保持する。保持部４３のＸ方向内側の先端部には、当接部４４が取り付けられている。当接部４４は、弾性体など、当接による衝撃の少ない材料で構成される。
【００５６】
図１３（Ｂ）は、保持部４３の形状を示す斜視図である。保持部４３は、例えば金属製の板バネで構成されており、Ｙ方向に長さを有し、Ｘ方向に幅を有する長尺部材である。各保持部４３は、可動体５のガイドピン５５に対応する位置に、切欠き４５を有する。
【００５７】
図１４（Ａ）〜（Ｃ）は、収納ユニット４の保持部４３に食器配置台６を載せる動作を示す模式図である。食器配置台６のＸ方向の長さは可動体５のＸ方向の長さよりも長く、従って食器配置台６は可動体５からＸ方向両側に突出している。Ｘ方向に対向する２つの保持部４３の間隔は、食器配置台６のＸ方向の長さよりも短く、可動体５のＸ方向の長さよりも長い。
【００５８】
図１４（Ａ）に示すように、可動体５が収納ユニット４内で上昇（すなわち＋Ｚ方向に移動）すると、可動体５上の食器配置台６が当接部４４に当接し、板バネである保持部４３が変形する。なお、図６に示した可動体５のガイドピン５５（図１４（Ａ）〜（Ｃ）では省略されている）は、保持部４３の切欠き４５を通過する。
【００５９】
図１４（Ｂ）に示すように、食器配置台６が保持部４３を上方に抜けると、保持部４３が弾性力により元の位置に復帰する。さらに、図１４（Ｃ）に示すように、可動体５が下降（すなわち−Ｚ方向に移動）すると、食器配置台６は保持部４３に保持された状態で残る。これにより、食器配置台６が収納ユニット４内に収納される。なお、収納ユニット４の保持部４３上で保持された食器配置台６は、開口部４６（図２）から−Ｙ方向に取り出すことができる。
【００６０】
＜制御系＞
図１５は、食器洗浄機１の制御系を示すブロック図である。食器洗浄機１は、この食器洗浄機１の動作を制御する制御部１００を有する。制御部１００は、例えば、プロセッサおよびメモリを備えて構成されている。
【００６１】
制御部１００には、食器洗浄機１の電源を投入するメインスイッチ１０１、運転モードを選択するモード選択操作部１０２、食器配置台６がセット位置（すなわち待機位置にある可動体５上）にセットされたことを検知する食器配置台センサ１０６、洗浄ユニット２における水温を検知する温度センサ１０７、および、乾燥ユニット３における送風温度を検知する温度センサ１０８からの信号が入力される。
【００６２】
また、モード選択操作部１０２の代わりに、圧力センサ７１〜７４（図８）、読取装置１０４（図１０）、または重量センサ１０５（図１１）を用いてもよい。図１５には、圧力センサ７１〜７４、読取装置１０４、または重量センサ１０５を、検出部１０３として示す。制御部１００には、検出部１０３からの信号が入力される。
【００６３】
食器配置台センサ１０６は、待機位置にある可動体５に食器配置台６が載せられたか否かを検知するセンサである。食器配置台センサ１０６は、例えば、シンク１０に取り付けられた光学センサである。但し、待機位置にある可動体５上の食器配置台６を検知可能なセンサであれば、他のセンサでもよい。また、検出部１０３が、食器配置台センサ１０６を兼ねても良い。
【００６４】
制御部１００は、これらの入力信号に基づいて、仕切板１６を回動させる仕切板回動モータ１１０と、可動体５を移動させる駆動モータＭ１，Ｍ２とを制御する。制御部１００は、また、洗浄ユニット２の弁２３ａ，２３ｂ，２３ｃを開閉する弁開閉モータ２４ａ，２４ｂ，２４ｃと、洗浄水を加熱するヒータ２５と、ノズル２１から洗浄水を噴出するポンプ２６とを制御する。
【００６５】
制御部１００は、また、乾燥ユニット３の送風機３１から送風する空気を加熱するヒータ３２と、送風機３１から空気を送風するファンモータ３３とを制御する。また、送風機３１からの送風方向を変化させる風向調節器を制御するようにしてもよい。
【００６６】
制御部１００には、制御部１００が実行するプログラムを記憶する記憶装置１０９が接続されている。記憶装置１０９は、プログラムの他、上述した運転モードに対応する洗浄条件および乾燥条件を記憶している。制御部１００は、記憶装置１０９に記憶した条件で洗浄プロセスおよび乾燥プロセスを実行する。
【００６７】
＜運転モード＞
次に、食器洗浄機１の運転モードについて説明する。図１６は、運転モードの内容を示す一覧表である。食器洗浄機１は、洗浄対象である食器７の種類に応じて、第１〜第５の運転モードを有する。第１〜第５の運転モードは、例えば図９（Ａ）〜（Ｅ）に示した食器配置台６Ａ〜６Ｅのように、５種類の食器配置台６にそれぞれ対応している。
【００６８】
図１６に示すように、運転モード毎に、予送風プロセスの有無、洗浄プロセスにおける洗浄水の種類、洗浄水の温度および洗浄水の水量、並びに、乾燥プロセスにおける送風温度および送風量が設定されている。
【００６９】
予送風プロセスは、洗浄プロセスの前に、食器７を送風により加熱するプロセスである。具体的には、食器配置台６が載せられた可動体５を乾燥エリア１３に移動させ、ヒータ３２（図１５）で加熱した空気を、ファンモータ３３によって送風機３１（図２）から送風する。予送風プロセスの終了後、可動体５は待機位置（図２）に戻り、洗浄プロセスが開始される。
【００７０】
洗浄プロセスにおける洗浄水の種類は、例えば、研磨剤を含む中性洗剤、研磨剤を含まない中性洗剤、およびアルカリ性洗剤である。図１５に示した弁開閉モータ２４ａ，２４ｂ，２４ｃにより、洗浄水の種類が選択される。
【００７１】
洗浄プロセスにおける洗浄水の温度および洗浄水の水量は、ノズル２１から噴出される洗浄水の温度および水量である。ノズル２１から噴出される洗浄水の温度は、ヒータ２５（図１５）によって制御される。
【００７２】
ノズル２１から噴出される洗浄水の水量は、ポンプ２６（図１５）によって制御され、少なくとも大小２通りに切り替えられる。言い換えると、ノズル２１から噴出される洗浄水の水量は、少なくとも、第１の水量と、第１の水量よりも小さい第２の水量との間で切り替えられる。但し、洗浄水の水量を３通り以上に切り替えても良い。
【００７３】
乾燥プロセスにおける送風温度および送風量は、送風機３１（図２）から送風される空気の温度および送風量である。送風機３１から送風される空気の温度は、ヒータ３２（図１５）によって制御される。
【００７４】
乾燥プロセスにおける送風量は、送風機３１から送風される空気の量（すなわち送風速度）であり、ファンモータ３３（図１５）によって制御され、少なくとも大小２通りに切り替えられる。言い換えると、送風機３１からの送風量は、少なくとも、第１の送風量と、第１の送風量よりも小さい第２の送風量との間で切り替えられる。但し、送風量を３通り以上に切り替えても良い。
【００７５】
次に、第１〜第５の運転モードについてそれぞれ説明する。なお、以下で説明する運転モードは、あくまでも一例であり、食器７の材質または大きさ等に応じた任意の条件を設定することができる。また、運転モードの数は、２つ以上あればよい。
【００７６】
第１の運転モードは、食器７がアルミニウム製品および銅製品である場合の運転モードである。アルミニウム製品および銅製品は、表面に被膜がコーティングされている場合が多い。被膜の摩耗を抑制するためには、洗浄水に研磨剤が含まれていないことが望ましい。
【００７７】
また、アルミニウム製品および銅製品は、アルカリ環境では水酸塩を形成して劣化する可能性があるため、アルカリ性洗剤は用いないことが望ましい。また、中性洗剤は高温下でアルカリ性に変化する場合があるため、中性洗剤も用いないことが望ましい。そこで、第１の運転モードでは、中性洗剤もアルカリ性洗剤も用いず、水道水を洗浄水として用いる。
【００７８】
洗剤を用いないことによる洗浄能力の低下を補うため、洗浄プロセスの前に予送風プロセスを行うことが望ましい。予送風プロセスにおける送風温度は、食器７に付着した油脂の融点である１２０℃以上が望ましく、１２０〜２００℃がより望ましい。送風温度を１２０℃以上とすることにより、油脂が液状化し、続いて行われる洗浄プロセスで油脂が食器７から除去されやすくなるためである。
【００７９】
予送風プロセスにおける送風量は、送風空気と油脂との熱交換を促進して油脂を効率よく加熱するため、第１の送風量が望ましい。なお、予送風プロセスは、第１の運転モード以外の運転モードでは、行わない。
【００８０】
洗浄プロセスでは、洗浄能力を高めるため、洗浄水の温度は８０〜１００℃が望ましく、洗浄水の水量は第１の水量が望ましい。
【００８１】
アルミニウムおよび銅は耐熱温度が高いため、乾燥プロセスにおける送風温度は、１２０℃以上が望ましく、１２０〜２００℃がより望ましい。また、乾燥プロセスにおける送風量は第１の送風量が望ましい。これにより、短時間で乾燥を終了することができる。
【００８２】
第２の運転モードは、食器７がプラスチック製品である場合の運転モードである。プラスチックには、アクリル樹脂、ポリカーボネート、ＰＥＴ（ポリエチレンテレフタレート）およびＦＲＰ（繊維強化プラスチック）のように、アルカリ環境で劣化するものがある。そのため、洗浄水としては、中性洗剤を含む洗浄水を用いる。
【００８３】
プラスチックには、アクリル樹脂およびＡＢＳ（アクリロニトリル・ブタジエン・スチレン）のように、耐熱温度が７０〜８０℃のものがある。そのため、洗浄プロセスでの洗浄水の温度および乾燥プロセスでの送風温度は、いずれも６０℃以下が望ましく、２０〜６０℃がより望ましい。
【００８４】
また、洗浄水の温度を６０℃以下としたことによる洗浄能力の低下を抑制するため、洗浄プロセスにおける洗浄水の水量は、第１の水量が望ましい。同様に、送風温度を６０℃以下としたことによる乾燥能力の低下を抑制するため、乾燥プロセスにおける送風量は、第１の送風量が望ましい。
【００８５】
第３の運転モードは、食器７が木製品である場合の運転モードである。木製品は、中性洗剤およびアルカリ性洗剤の何れを用いても劣化しない。そのため、洗浄水としては、中性洗剤を含む洗浄水を用いてもよく、アルカリ性洗剤を含む洗浄水を用いてもよい。また、研磨剤を含んでいてもよく、研磨剤を含まなくてもよい。
【００８６】
但し、木製品は、高温下で変形する場合があるため、洗浄プロセスでの洗浄水の温度および乾燥プロセスでの送風温度は、いずれも１００℃以下が望ましく、２０〜１００℃がより望ましい。
【００８７】
また、洗浄能力および乾燥能力を確保するため、洗浄プロセスにおける洗浄水の水量は第１の水量が望ましく、乾燥プロセスにおける送風量は第１の送風量が望ましい。
【００８８】
第４の運転モードは、食器７が表面装飾製品である場合の運転モードである。表面装飾製品とは、例えば、食器の表面に、漆塗り、金細工、銀細工または絵付け等の装飾が施されたものである。銀は、アルカリ環境で軽微ではあるが腐食する可能性がある。また、研磨剤が含まれた洗剤を使用すると、食器表面の装飾が研磨剤によって削り取られ、美観を損ねる可能性がある。そのため、洗浄水としては、研磨剤を含まず、中性洗剤を含む洗浄水を用いる。
【００８９】
また、洗浄プロセスにおける洗浄水の温度は、２０〜８０℃が望ましく、乾燥プロセスにおける送風温度も、２０〜８０℃が望ましい。また、研磨剤を用いないことによる洗浄能力の低下を抑制するため、洗浄プロセスにおける洗浄水の水量は第１の水量が望ましい。乾燥能力を高めるため、乾燥プロセスにおける送風量は第１の送風量が望ましい。
【００９０】
第５の運転モードは、食器７が小物製品である場合の運転モードである。小物製品とは、例えば、箸、スプーン、またはプラスチック製小物のように、小さく軽い食器である。小物製品は、洗浄プロセスにおける洗浄水の噴出および乾燥プロセスにおける送風によって食器配置台６から脱落しやすいため、洗浄プロセスにおける水量を第２の水量とし、乾燥プロセスにおける送風量を第２の送風量とする。
【００９１】
また、小物製品は、材質の点では、第１〜第４の運転モードのいずれかに該当する可能性があるため、洗浄水の温度および送風温度については、第１〜第４の運転モードにおける最も厳しい条件を設定することが望ましい。すなわち、洗浄プロセスにおける洗浄水の温度は２０〜６０℃とし、乾燥プロセスにおける送風温度は２０〜６０℃とすることが望ましい。また、小物製品の材質によってはアルカリ環境で腐食または劣化する場合があるため、洗浄水としては、研磨剤を含まず、中性洗剤を含む洗浄水を用いる。
【００９２】
なお、ここでは、小物製品を第５の運転モードとしているが、材質と大きさとの組み合わせ毎に運転モードを設けてもよい。例えば、小物製品については、アルミニウムまたは銅製の小物製品、プラスチック製の小物製品、木製の小物製品、および表面装飾付きの小物製品というように、運転モードを分けてもよい。
【００９３】
また、ここでは、運転モードに応じて、予送風プロセスの有無、洗浄プロセスにおける洗浄水の種類、洗浄水の温度および洗浄水の量、並びに、乾燥プロセスにおける送風温度および送風量を設定した。しかしながら、食器に与える影響が最も大きい要素は、洗浄プロセスでの洗浄水の種類と乾燥プロセスでの送風温度の２つであるため、少なくとも、運転モードに応じた洗浄水の種類および送風温度を設定すればよい。
【００９４】
＜食器洗浄機１の動作＞
次に、この実施の形態１の食器洗浄機１の動作について説明する。図１７は、実施の形態１の食器洗浄機１の動作を示すフローチャートである。食器洗浄機１には、上記の通り、複数の食器配置台６（例えば図９（Ａ）〜（Ｅ）に示した食器配置台６Ａ〜６Ｅ）が設けられており、ユーザは、洗浄しようとする食器７の種類に応じた食器配置台６を選択し、その食器配置台６に食器７を配置する。
【００９５】
なお、複数の食器配置台６のそれぞれには、例えば、アルミニウム製品または銅製品用、プラスチック製品用、木製品用、表面装飾製品用および小物製品用という表示が付されており、ユーザは、食器７に応じた食器配置台６を選択し、その食器配置台６に食器７を配置することができる。
【００９６】
食器洗浄機１の制御部１００は、ユーザによってメインスイッチ１０１（図１）が操作されると（ステップＳ１０１）、食器洗浄動作を開始する。
【００９７】
まず、制御部１００は、仕切板回動モータ１１０を駆動し、仕切板１６を閉位置（図２）から開位置（図５）まで回動させる（ステップＳ１０２）。この時点で、可動体５は待機位置に位置しており、可動体５に食器配置台６は載せられていない。
【００９８】
仕切板１６が開位置（図５）まで回動すると、待機位置に位置する可動体５の上方が開放される。ユーザは、図１８に示すように、食器７を配置した食器配置台６を可動体５上に載せる。
【００９９】
図１９に示すように、食器配置台６が可動体５に載せられると、食器配置台センサ１０６が食器配置台６を検知する（ステップＳ１０３）。続いて、制御部１００は、ユーザによるモード選択操作部１０２の操作により、若しくは、圧力センサ７１〜７４（図８）、読取装置１０４（図１０）または重量センサ１０５（図１１）の検出信号により、食器配置台６の種類すなわち運転モードを検出する（ステップＳ１０４）。
【０１００】
制御部１００は、ステップＳ１０４で検出した食器配置台６の種類（すなわち運転モード）に基づき、記憶装置１０９に記憶されたテーブル（図１６）を参照し、洗浄プロセスおよび乾燥プロセスの各条件を決定する（ステップＳ１０５）。
【０１０１】
次に、制御部１００は、運転モードを開始する前の予送風プロセスの要否を判断する（ステップＳ１０６）。第１〜第５の運転モードのうち、予送風プロセスを行うのは第１の運転モードのみである。そのため、制御部１００は、運転モードが第１の運転モードの場合には、ステップＳ１０７に進んで予送風プロセスを実行し、第２〜第５の運転モードの場合には、ステップＳ１０８に進む。ステップＳ１０７の予送風プロセスについては、後述する。
【０１０２】
ステップＳ１０８では、洗浄プロセスを実行する。制御部１００は、第１の駆動モータＭ１（図１５）を駆動して第１のギア５１（図７）を回転させる。第１のギア５１と第１のラック５６（図７）との噛み合いにより、可動体５は洗浄エリア１２内で＋Ｙ方向に移動する。制御部１００は、可動体５を＋Ｙ方向に移動しながら、洗浄ユニット２のノズル２１から洗浄水を噴出する。
【０１０３】
具体的には、制御部１００は、弁開閉モータ２４ａ，２４ｂ，２４ｃ（図１２）を駆動して弁２３ａ，２３ｂ，２３ｃの何れかを開放し、運転モードに応じた洗剤を水道水に混合する。あるいは、弁２３ａ，２３ｂ，２３ｃの全てを閉鎖して、水道水のみを用いる。さらに、制御部１００は、ヒータ２５（図１５）により、運転モードに応じた温度に洗浄水を加熱する。さらに、ポンプ２６により、運転モードに応じた水量でノズル２１から洗浄エリア１２内に洗浄水を噴出する。
【０１０４】
洗浄プロセスは規定時間に亘って継続し、洗浄プロセスの終了時点で、可動体５が移動範囲の＋Ｙ方向端部（図２０）に達する。なお、洗浄プロセスの継続時間を、運転モード毎に設定してもよい。
【０１０５】
洗浄プロセスが終了すると、制御部１００は、乾燥プロセスを実行する（ステップＳ１０９）。制御部１００は、第１の駆動モータＭ１を停止し、第２の駆動モータＭ２を駆動して第２のギア５２（図７）を回転させる。第２のギア５２と第２のラック５７との噛み合いにより、可動体５は＋Ｚ方向に移動し、図２１に示すように乾燥エリア１３に侵入する。制御部１００は、可動体５を＋Ｚ方向に移動しながら、乾燥ユニット３の送風機３１から送風を行う。
【０１０６】
具体的には、制御部１００は、ヒータ３２（図１５）により、運転モードに応じた温度に空気を加熱し、ファンモータ３３により、運転モードに応じた送風速度で送風機３１から送風する。
【０１０７】
乾燥プロセスは規定時間に亘って継続し、乾燥プロセスの終了時点で、可動体５が乾燥エリア１３の上端（すなわち＋Ｚ方向の端部）に達する。なお、乾燥プロセスの継続時間を、運転モード毎に設定してもよい。
【０１０８】
乾燥プロセスが終了すると、制御部１００は、図２２に示すように、可動体５をさらに上方（すなわち＋Ｚ方向）に移動させて、収納ユニット４の収納スペース４０に食器配置台６を収納する（ステップＳ１１０）。
【０１０９】
すなわち、制御部１００は、第２の駆動モータＭ２（図７）の駆動を継続し、可動体５を乾燥エリア１３から更に上方に移動させて、収納ユニット４の内側の収納スペース４０に侵入させる。このとき、図１４（Ａ）〜（Ｃ）を参照して説明したように、食器配置台６が収納ユニット４の保持部４３を押し上げて変形させ、その後、可動体５が下降することにより、保持部４３上に食器配置台６が保持される。
【０１１０】
これにより、収納ユニット４の収納スペース４０に食器配置台６が収納される。ユーザは、収納ユニット４の開口部４６から食器配置台６を−Ｙ方向に取り出すことができる。なお、食器洗浄機１の各断面図（図２，４，５，１８〜２３）では、収納ユニット４を簡略化して示しているが、図１３（Ａ）に示したように、収納ユニット４は、複数の食器配置台６を保持可能な複数対の保持部４３を有している。
【０１１１】
収納ユニット４の収納スペース４０に食器配置台６を収納したのち、制御部１００は、第２の駆動モータＭ２を駆動して可動体５を−Ｚ方向に移動させ、さらに第１の駆動モータＭ１を駆動して可動体５を−Ｙ方向に移動させて、図２３に示すように可動体５を待機位置に戻す（ステップＳ１１１）。
【０１１２】
その後、制御部１００は、メインスイッチ１０１の状態を確認し（ステップＳ１１２）、メインスイッチ１０１がオフされていない場合には、上記のステップＳ１０３に戻り、食器配置台センサ１０６が食器配置台６を検知するのを待つ。
【０１１３】
また、メインスイッチ１０１がオフされている場合には、仕切板回動モータ１１０を駆動して仕切板１６を開位置から閉位置に回動し（ステップＳ１１３）、動作を終了する。
【０１１４】
なお、ステップＳ１０７の予送風プロセスでは、制御部１００が、第１の駆動モータＭ１および第２の駆動モータＭ２を順に駆動して可動体５を乾燥エリア１３に侵入させ、乾燥ユニット３のヒータ３２（図１５）を駆動して空気を１２０〜２００℃に加熱し、その空気をファンモータ３３により送風機３１から送風する。予送風の完了後、制御部１００は、第２の駆動モータＭ２および第１の駆動モータＭ１を順に駆動して、可動体５を待機位置に戻す。
【０１１５】
以上の動作では、仕切板１６が開位置（図５）にある状態で洗浄プロセスおよび乾燥プロセスを行ったが、ユーザが食器配置台６を可動体５に載せてから仕切板１６を閉位置（図２）に戻し、その状態で洗浄プロセスおよび乾燥プロセスを行ってもよい。このようにすれば、洗浄水の飛散を抑制できるという利点がある。具体的には、ステップＳ１０３で食器配置台センサ１０６が食器配置台６を検知したのち、仕切板１６を開位置（図５）から閉位置（図２）に戻せばよい。
【０１１６】
＜実施の形態１の効果＞
以上説明したように、実施の形態１の食器洗浄機１は、複数の運転モードを有し、洗浄ユニット２は運転モードに応じた種類の洗浄水で食器７を洗浄し、乾燥ユニット３は運転モードに応じた送風温度で食器７を乾燥する。そのため、食器７の材質または大きさ等の特性に合った適切な洗浄水で洗浄を行い、また適切な送風温度で乾燥を行うことができる。そのため、食器７を劣化または摩耗等から保護することができる。
【０１１７】
また、洗浄ユニット２が、運転モードに応じて、ノズル２１から噴出する洗浄水の水量および洗浄水の温度を切り替えるため、食器７の特性に合った条件で洗浄を行うことができる。
【０１１８】
さらに、乾燥ユニット３が、運転モードに応じて、送風機３１からの送風量を切り替えるため、食器７の特性に合った条件で乾燥を行うことができる。
【０１１９】
また、運転モードに対応した複数種類の食器配置台６を設け、食器配置台６の種類を検出部１０３で検出することで運転モードを選択するようにすれば、ユーザによる運転モード選択の手間を省くことができる。
【０１２０】
例えば、食器配置台６の形状を種類毎に異ならせ、検出部１０３として圧力センサ７１〜７４（図８）を用いることにより、食器配置台６の形状に基づき、簡単な構成で食器配置台６の種類を検出することができる。
【０１２１】
また、食器配置台６に種類情報を記憶したＩＣタグ６７（図１０）を設け、読取装置１０４でＩＣタグ６７から種類情報を読み取ることにより、種類情報に基づき、簡単な構成で食器配置台６の種類を検出することができる。
【０１２２】
また、食器配置台６の重量を種類毎に異ならせ、検出部１０３として重量センサ１０５（図１１）を用いることにより、食器配置台６の重量に基づき、簡単な構成で食器配置台６の種類を検出することができる。
【０１２３】
また、ユーザが、モード選択操作部１０２で運転モードを選択するようにすれば、ユーザの所望する運転モードで食器７の洗浄および乾燥を行うことができる。
【０１２４】
また、洗浄ユニット２は、ノズル２１から噴出する洗浄水の水量を、少なくとも、第１の水量と、第１の水量よりも小さい第２の水量とで切り替え、乾燥ユニット３は、送風機３１から送風する送風量を、少なくとも、第１の送風量と、第１の送風量よりも小さい第２の送風量とで切り替える。そのため、食器７の特性に合わせて、洗浄プロセスにおける洗浄水の水量および乾燥プロセスにおける送風量を選択することができる。
【０１２５】
第１の運転モードでは、洗浄ユニット２が洗剤を含まない洗浄水を用いるため、アルミニウム製品あるいは銅製品などの劣化を抑制することができる。
【０１２６】
また、第１の運転モードでは、洗浄ユニット２における洗浄水の水量が第１の水量であるため、洗剤を用いないことによる洗浄力の低下を抑えることができる。
【０１２７】
また、第１の運転モードでは、洗浄プロセスの前に乾燥ユニット３による予送風が行われ、送風温度が１２０℃以上であるため、食器７に付着した油脂を加熱し、これにより油脂の除去を容易にすることができる。また、予送風における送風量が第１の送風量であるため、油脂の加熱を効率よく行うことができる。
【０１２８】
第２の運転モードでは、洗浄ユニット２における洗浄水の温度が６０℃以下であり、乾燥ユニット３における送風温度も６０℃以下であるため、プラスチック製品等を熱による劣化から保護することができる。
【０１２９】
また、第２の運転モードでは、乾燥ユニット３における送風量が第１の送風量であるため、送風温度を６０℃以下としたことによる乾燥能力の低下を抑制することができる。
【０１３０】
また、第２の運転モードでは、洗浄ユニット２が中性洗剤を含む洗浄水を用いるため、プラスチック製品等の洗浄能力を高めることができる。
【０１３１】
第３の運転モードでは、洗浄ユニット２における洗浄水の温度が１００℃以下であり、乾燥ユニット３における送風温度も１００℃以下であるため、木製品等を熱による劣化から保護することができる。
【０１３２】
また、第３の運転モードでは、乾燥ユニット３における送風量が第１の送風量であるため、乾燥能力を高めることができる。
【０１３３】
第４の運転モードでは、洗浄ユニット２が研磨剤を含まず中性洗剤を含む洗浄水を用いるため、表面装飾付きの食器を腐食等の損傷から保護することができる。
【０１３４】
また、第４の運転モードでは、洗浄ユニット２における水量が第１の水量であるため、研磨剤を用いないことによる洗浄能力の低下を抑えることができる。
【０１３５】
第５の運転モードでは、洗浄ユニット２における水量が第２の水量であり、乾燥ユニット３における送風量が第２の送風量であるため、食器配置台６からの小物製品の脱落を抑制することができる。
【０１３６】
また、実施の形態１の食器洗浄機１は、洗浄エリア１２と乾燥エリア１３とを有するシンク１０と、食器配置台６を洗浄エリア１２および乾燥エリア１３を通過するように搬送する可動体５とを備える。そのため、シンク１０の周囲のスペースを有効に利用して食器洗浄機１を構成することが可能になり、スペース効率を向上することができる。
【０１３７】
また、洗浄エリア１２はシンク１０の底部１５に沿って設けられ、乾燥エリア１３はシンク１０の周壁部１４に沿って設けられているため、乾燥エリア１３に洗浄エリア１２の洗浄水の影響が及びにくくなり、乾燥プロセスに要する時間を短縮することができる。
【０１３８】
また、可動体５が、洗浄エリア１２内で水平に移動し、乾燥エリア１３内で垂直に移動するため、シンク１０の底部１５に沿った洗浄エリア１２と、シンク１０の周壁部１４に沿った乾燥エリア１３とを通過するように、食器７を自動搬送することができる。
【０１３９】
また、シンク１０の乾燥エリア１３の上方に、食器配置台６を収納する収納ユニット４が配置され、可動体５が食器配置台６を収納ユニット４の内部に搬送するため、洗浄および乾燥が終了した食器７を、食器配置台６に配置した状態で収納することができる。
【０１４０】
また、シンク１０が、洗浄エリア１２の上方に入口エリア１１を有し、洗浄エリア１２と入口エリア１１とを仕切板１６で仕切っているため、入口エリア１１を食器洗浄機１以外の用途に利用することができ、利便性が向上する。
【０１４１】
また、シンク１０に排水溝１８が形成され、仕切板１６に穴１６ａが形成されているため、入口エリア１１の排水を穴１６ａおよび排水溝１８から排水することができる。
【０１４２】
また、仕切板１６を、洗浄エリア１２と入口エリア１１とを仕切る閉位置と、洗浄エリア１２と入口エリア１１との開位置との間で駆動する仕切板駆動機構が設けられているため、例えば食器配置台６のセット時に仕切板１６を開位置に移動させることができる。
【０１４３】
また、待機位置の可動体５に食器配置台６が載せられたことを検知する食器配置台センサ１０６が設けられているため、ユーザが食器配置台６を可動体５に載せたことをトリガとして洗浄プロセスが開始され、利便性が向上する。
【０１４４】
実施の形態２．
図２４は、実施の形態２の食器洗浄機１Ａを示す図である。実施の形態２の食器洗浄機１Ａは、実施の形態１で説明した収納ユニット４（図２３）を有さない点で、実施の形態１の食器洗浄機１と異なる。
【０１４５】
図２４に示す状態は、実施の形態２の食器洗浄機１Ａの乾燥プロセスの終了後の状態を示す図、すなわち実施の形態１の図２３に相当する状態を示す図である。
【０１４６】
この実施の形態２の食器洗浄機１Ａでは、乾燥プロセスの終了後、可動体５が乾燥ユニット３を上方（すなわち＋Ｚ方向）に通過したのち、シンク１０の上端１０ａよりも上方の保持位置Ａ１まで上昇して停止する。
【０１４７】
このように構成すれば、ユーザは、乾燥プロセスの終了後、食器７が配置された食器配置台６を、保持位置Ａ１に停止している可動体５から取り外すことができる。そのため、ユーザによる食器７の片付けが容易になる。
【０１４８】
また、保持位置Ａ１に、図１３〜図１４を参照して説明した一対の保持部４３を設けてもよい。この場合には、可動体５が、食器配置台６を保持位置Ａ１で保持部４３上に載せたのち、図２４に破線で示すように待機位置に戻り、次の食器配置台６の洗浄および乾燥を行うこともできる。実施の形態２の食器洗浄機１Ａの他の構成要素は、実施の形態１で説明した通りである。
【０１４９】
このように、実施の形態２の食器洗浄機１Ａでは、乾燥プロセスの終了後に、可動体５が、食器７を配置した食器配置台６をシンク１０の上方の保持位置Ａ１で保持するようにしたため、食器洗浄機１の構成が簡単になり、またユーザによる食器７の片付けが容易になる。
【０１５０】
実施の形態３．
図２５は、実施の形態３の食器洗浄機１Ｂを示す図である。実施の形態３の食器洗浄機１Ｂは、シンク１０の仕切板１６が手動で取り外し可能に構成されている点で、実施の形態１の食器洗浄機１と異なる。
【０１５１】
この実施の形態３の食器洗浄機１Ｂでは、シンク１０の内側に、仕切板１６を下方から支持する凸部１０ｂ（すなわち仕切板支持部）が形成されている。凸部１０ｂは、仕切壁１７の下端部、および、シンク１０の周壁部１４のうち仕切壁１７の下端部にＹ方向に対向する部分に形成されている。
【０１５２】
仕切板１６を凸部１０ｂに載せることによって、入口エリア１１と洗浄エリア１２とが仕切板１６によって仕切られる。仕切板１６を凸部１０ｂから取り外すことによって、入口エリア１１と洗浄エリア１２とが連通する。
【０１５３】
食器洗浄機１Ｂを使用する際には、図２５に破線で示すように、ユーザが仕切板１６を凸部１０ｂから取り外す。これにより、入口エリア１１と洗浄エリア１２とが連通し、待機位置の可動体５の上方が開放されるため、ユーザは食器配置台６を可動体５に載せることができる。実施の形態３の食器洗浄機１Ｂの他の構成要素は、実施の形態１で説明した通りである。
【０１５４】
このように、実施の形態３の食器洗浄機１Ｂでは、シンク１０の仕切板１６が手動で取り外し可能であるため、食器洗浄機１の構成が簡単になる。
【０１５５】
実施の形態４．
図２６は、実施の形態４の食器洗浄機１Ｃを示す図である。実施の形態４の食器洗浄機１Ｃは、複数の可動体５を移動させることができる点で、実施の形態１の食器洗浄機１と異なる。可動体５の数はここでは２つとし、可動体５Ａ，５Ｂと称する。可動体５Ａ，５Ｂは、いずれも、図６および図８を参照して説明した可動体５の構成を有する。
【０１５６】
実施の形態４の食器洗浄機１Ｃは、洗浄エリア１２の−Ｙ方向に隣接して、退避部１９を有する。食器配置台６が載せられた可動体５Ａが、洗浄エリア１２または乾燥エリア１３内に位置している状態で、退避部１９には、もう１つの可動体５Ｂが収納されている。
【０１５７】
洗浄エリア１２には、図７に示した第１のラック５６（図２７では省略されている）が配設されており、この第１のラック５６が退避部１９まで延びている。そのため、退避部１９内の可動体５Ｂは、第１の駆動モータＭ１（図６）を駆動することにより、退避部１９から洗浄エリア１２に移動することができる。
【０１５８】
この食器洗浄機１Ｃでは、可動体５Ａが食器配置台６を保持して洗浄エリア１２内で＋Ｙ方向に移動し、さらに乾燥エリア１３内で＋Ｚ方向に移動する際に、次の可動体５Ｂが退避部１９から洗浄エリア１２内の待機位置に移動する。そして、この可動体５Ｂに次の食器配置台６が載せられると、可動体５Ｂは洗浄エリア１２内を＋Ｙ方向に移動し、洗浄プロセスが実行される。
【０１５９】
また、先に乾燥エリア１３を通過した可動体５Ａが収納ユニット４に移動すると、次の可動体５Ｂが洗浄エリア１２から乾燥エリア１３に移動し、乾燥プロセスが実行される。収納ユニット４の収納スペース４０では、可動体５Ａと可動体５ＢとがＺ方向に並んで停止する。
【０１６０】
ユーザが、収納ユニット４に収納された可動体５Ａおよび可動体５Ｂから食器配置台６をそれぞれ取り出すと、可動体５Ｂが退避部１９に戻り、可動体５Ａが洗浄エリア１２内の待機位置に戻る。実施の形態４の食器洗浄機１Ｃの他の構成要素は、実施の形態１で説明した通りである。
【０１６１】
ここでは、２つの可動体５Ａ，５Ｂを移動させる構成について説明したが、３つ以上の可動体５を移動させてもよい。
【０１６２】
このように、実施の形態４の食器洗浄機１Ｃは、複数の可動体５を洗浄エリア１２および乾燥エリア１３を通過するように移動させることができるため、種類の異なる食器７を短い時間で洗浄および乾燥することが可能になる。
【０１６３】
実施の形態５．
図２７は、実施の形態５の食器洗浄機１Ｄを示す図である。実施の形態５の食器洗浄機１Ｄは、シンク１０が仕切壁１７を有さない点で、実施の形態１の食器洗浄機１と異なる。
【０１６４】
実施の形態５の食器洗浄機１Ｄでは、シンク１０の内部は、洗浄エリア１２と乾燥エリア１３Ａの２つにＺ方向に分割されている。洗浄エリア１２は、実施の形態１と同様である。乾燥エリア１３Ａは、シンク１０において洗浄エリア１２の上方（＋Ｚ方向）に位置するエリア全体である。
【０１６５】
シンク１０の洗浄エリア１２と乾燥エリア１３Ａとは、仕切板９によって仕切られている。仕切板９には、実施の形態１の仕切板１６の穴１６ａ（図３（Ａ）、（Ｂ））と同様の穴が形成されている。シンク１０の周壁部１４には、仕切板９を下方から支持する凸部１０ｂ（仕切板支持部）が形成されている。仕切板９は、ユーザが手動でシンク１０から取り外すことができる。
【０１６６】
図２８は、食器洗浄機１Ｄのシンク１０から仕切板９を取り外した状態を示す図である。シンク１０から仕切板９を取り外すことにより、洗浄エリア１２と乾燥エリア１３Ａとが連通され、待機位置に位置する可動体５の上方が開放される。これにより、可動体５に食器配置台６を載せ、洗浄プロセスおよび乾燥プロセスを実行することができる。
【０１６７】
可動体５は、実施の形態１で説明したように移動し、洗浄プロセスおよび乾燥プロセスが行われる。但し、この食器洗浄機１Ｄの乾燥プロセスでは、送風機３１からの送風が比較的広い範囲に広がる。実施の形態５の食器洗浄機１Ｄの他の構成要素は、実施の形態１で説明した通りである。
【０１６８】
このように、実施の形態５の食器洗浄機１Ｄでは、シンク１０を仕切板９によってＺ方向に分け、その下側を洗浄エリア１２とし、上側を乾燥エリア１３Ａとしている。そのため、食器洗浄機１の未使用時には、シンク１０に仕切板９を取り付けることにより、広い乾燥エリア１３Ａを別の用途に使用することができる。
【０１６９】
なお、上述した実施の形態１〜５は、適宜、組み合わせて用いることが可能である。
【０１７０】
また、上述した実施の形態１〜５では、シンク１０に洗浄エリア１２と乾燥エリア１３とを設け、可動体５で食器配置台６を搬送する構成であって、且つ、運転モードに応じて洗浄プロセスおよび乾燥プロセスの条件（例えば洗浄水の種類および送風速度）を切り替える構成について説明した。
【０１７１】
しかしながら、シンク１０に洗浄エリア１２と乾燥エリア１３とを設け、可動体５で食器配置台６を搬送する構成（図２参照）は、運転モードに応じて洗浄プロセスおよび乾燥プロセスの条件を切り替えない構成に適用してもよい。
【０１７２】
また、運転モードに応じて洗浄プロセスおよび乾燥プロセスの条件を切り替える構成（図１６参照）は、洗浄エリア１２と乾燥エリア１３とを同一エリアとする構成（すなわち食器配置台６を搬送せずに洗浄および乾燥を行う構成）に適用してもよい。
【０１７３】
以上、本発明の望ましい実施の形態について具体的に説明したが、本発明は上記の実施の形態に限定されるものではなく、本発明の要旨を逸脱しない範囲において、各種の改良または変形を行なうことができる。
【符号の説明】
【０１７４】
１，１Ａ，１Ｂ，１Ｃ，１Ｄ  食器洗浄機、  ２  洗浄ユニット、  ３  乾燥ユニット、  ４  収納ユニット、  ５，５Ａ，５Ｂ  可動体、  ６，６Ａ，６Ｂ，６Ｃ，６Ｄ，６Ｅ  食器配置台、  ７  食器、  ８  キッチン、  ９  仕切板、  １０  シンク、  １０ｂ  凸部（支持板支持部）、  １１  入口エリア、  １２  洗浄エリア、  １３  乾燥エリア、  １４  周壁、  １５  底部、  １６  仕切板、  １６ａ  穴、  １７  仕切壁、  １８  排水溝、  １９  待機エリア、  ２１  ノズル、  ２２  洗剤容器、  ２２ａ  第１の洗剤容器、  ２２ｂ  第２の洗剤容器、  ２２ｃ  第３の洗剤容器、  ２３ａ，２３ｂ，２３ｃ  弁、  ２４ａ，２４ｂ，２４ｃ  弁開閉モータ、  ２５  ヒータ、  ２６  ノズルモータ、  ３１  送風機、  ３２  ヒータ、  ３３  ファンモータ、  ４０  収納スペース、  ４１  天板、  ４２  側板、  ４３  保持部、  ４４  当接部、  ４５  切欠き、  ５１  第１のギア、  ５２  第２のギア、  ５５  ガイドピン、  ５６  第１のラック、  ５７  第２のラック、  ６１，６２，６３，６４  押圧部、  ６７  ＩＣタグ、  ７１，７２，７３，７４  圧力センサ、  ８０  ガイド溝、  １００  制御部、  １０１  メインスイッチ、  １０２  選択部、  １０４  読取装置、  １０５  重量センサ、  １０６  食器配置台センサ、  １０９  記憶部、  １１０  仕切板回動モータ、  Ｍ１  第１の駆動モータ、  Ｍ２  第２の駆動モータ。
【図１】
2019087283.tif 000003
【図２】
2019087283.tif 000004
【図３】
2019087283.tif 000005
【図４】
2019087283.tif 000006
【図５】
2019087283.tif 000007
【図６】
2019087283.tif 000008
【図７】
2019087283.tif 000009
【図８】
2019087283.tif 000010
【図９】
2019087283.tif 000011
【図１０】
2019087283.tif 000012
【図１１】
2019087283.tif 000013
【図１２】
2019087283.tif 000014
【図１３】
2019087283.tif 000015
【図１４】
2019087283.tif 000016
【図１５】
2019087283.tif 000017
【図１６】
2019087283.tif 000018
【図１７】
2019087283.tif 000019
【図１８】
2019087283.tif 000020
【図１９】
2019087283.tif 000021
【図２０】
2019087283.tif 000022
【図２１】
2019087283.tif 000023
【図２２】
2019087283.tif 000024
【図２３】
2019087283.tif 000025
【図２４】
2019087283.tif 000026
【図２５】
2019087283.tif 000027
【図２６】
2019087283.tif 000028
【図２７】
2019087283.tif 000029
【図２８】
2019087283.tif 000030
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
食器が配置される食器配置台と、
運転モードを選択するモード選択部と、
洗浄水を噴出するノズルを有し、前記食器配置台上の前記食器を洗浄する洗浄ユニットと、
空気を送風する送風機を有し、前記食器配置台上の前記食器を乾燥する乾燥ユニットと
前記食器配置台を含み、種類の異なる複数の食器配置台と、
前記複数の食器配置台のうちの何れかをセットするセット位置と
を備え、
前記モード選択部は、前記セット位置にセットされた前記食器配置台の種類を検出する検出部を有し、検出した前記食器配置台の種類に対応する運転モードを選択し、
前記洗浄ユニットは、選択された運転モードに応じて、前記ノズルから噴出する洗浄水の種類を切り替え、
前記乾燥ユニットは、選択された運転モードに応じて、前記送風機から送風する空気の温度を切り替える
食器洗浄機。
【請求項２】
前記洗浄ユニットは、選択された運転モードに応じて、前記ノズルから噴出する洗浄水の水量を切り替える
請求項１に記載の食器洗浄機。
【請求項３】
前記洗浄ユニットは、選択された運転モードに応じて、前記ノズルから噴出する洗浄水の温度を切り替える
請求項１または２に記載の食器洗浄機。
【請求項４】
前記乾燥ユニットは、選択された運転モードに応じて、前記送風機からの送風量を切り替える
請求項１から３までのいずれか１項に記載の食器洗浄機。
【請求項５】
前記複数の食器配置台は、互いに異なる形状を有し、
前記検出部は、前記セット位置に置かれた前記食器配置台の形状に基づいて前記食器配置台の種類を検出する
請求項１から４までの何れか1項に記載の食器洗浄機。
【請求項６】
前記複数の食器配置台は、いずれも、種類情報を記憶した媒体を有し、
前記検出部は、前記セット位置にセットされた前記食器配置台の前記媒体の種類情報を読み出し、読み出した種類情報に基づいて前記食器配置台の種類を検出する
請求項１から４までの何れか1項に記載の食器洗浄機。
【請求項７】
前記複数の食器配置台は、重量が互いに異なり、
前記検出部は、前記セット位置にセットされた前記食器配置台の重量に基づいて前記食器配置台の種類を検出する
請求項１から４までの何れか1項に記載の食器洗浄機。
【請求項８】
前記モード選択部は、さらに、ユーザが運転モードを選択するモード選択操作部を有する
請求項１から７までの何れか1項に記載の食器洗浄機。
【請求項９】
前記洗浄ユニットは、
選択された運転モードに応じて、前記ノズルから噴出する洗浄水の水量を、少なくとも、第１の水量と、前記第１の水量よりも小さい第２の水量とで切り替え、
前記乾燥ユニットは、選択された運転モードに応じて、前記送風機から送風する送風量を、少なくとも、第１の送風量と、前記第１の送風量よりも小さい第２の送風量とで切り替える
請求項１に記載の食器洗浄機。
【請求項１０】
前記モード選択部によって第１の運転モードが選択された場合には、前記洗浄ユニットは、洗剤を含まない洗浄水を前記ノズルから噴出する
請求項９に記載の食器洗浄機。
【請求項１１】
前記モード選択部によって前記第１の運転モードが選択された場合には、前記洗浄ユニットは、前記ノズルから噴出する洗浄水の水量を前記第１の水量とする
請求項１０に記載の食器洗浄機。
【請求項１２】
前記モード選択部によって前記第１の運転モードが選択された場合には、前記乾燥ユニットは、前記洗浄ユニットによる洗浄水の噴出の前に、前記送風機から温度が１２０℃以上の空気を送風する予送風を行う
請求項１０または１１に記載の食器洗浄機。
【請求項１３】
前記予送風では、前記乾燥ユニットは、前記送風機からの送風量を前記第１の送風量とする
請求項１２に記載の食器洗浄機。
【請求項１４】
前記モード選択部によって第２の運転モードが選択された場合には、前記洗浄ユニットは、前記ノズルから噴出する洗浄水の温度を６０℃以下とし、前記乾燥ユニットは、前記送風機から送風する空気の温度を６０℃以下とする
請求項１０から１３までのいずれか１項に記載の食器洗浄機。
【請求項１５】
前記モード選択部によって前記第２の運転モードが選択された場合には、前記乾燥ユニットは、前記送風機からの送風量を前記第１の送風量とする
請求項１４に記載の食器洗浄機。
【請求項１６】
前記モード選択部によって前記第２の運転モードが選択された場合には、前記洗浄ユニットは中性洗剤を含む洗浄水を前記ノズルから噴出する
請求項１４または１５に記載の食器洗浄機。
【請求項１７】
前記モード選択部によって第３の運転モードが選択された場合には、前記洗浄ユニットは、前記ノズルから噴出する洗浄水の温度を１００℃以下とし、前記乾燥ユニットは、前記送風機から送風する空気の温度を１００℃以下とする
請求項１０から１６までのいずれか１項に記載の食器洗浄機。
【請求項１８】
前記モード選択部によって前記第３の運転モードが選択された場合には、前記乾燥ユニットは、前記送風機からの送風量を前記第１の送風量とする
請求項１７に記載の食器洗浄機。
【請求項１９】
前記モード選択部によって第４の運転モードが選択された場合には、前記洗浄ユニットは、研磨剤を含まず中性洗剤を含む洗浄水を前記ノズルから噴出する
請求項１０から１８までのいずれか１項に記載の食器洗浄機。
【請求項２０】
前記モード選択部によって前記第４の運転モードが選択された場合には、前記洗浄ユニットは、前記ノズルから噴出する洗浄水の水量を前記第１の水量とする
請求項１９に記載の食器洗浄機。
【請求項２１】
前記モード選択部によって第５の運転モードが選択された場合には、前記洗浄ユニットは、前記ノズルから噴出する洗浄水の水量を前記第２の水量とする
請求項１０から２０までのいずれか１項に記載の食器洗浄機。
【請求項２２】
前記モード選択部によって前記第５の運転モードが選択された場合には、前記乾燥ユニットは、前記送風機からの送風量を前記第２の送風量とする
請求項２１に記載の食器洗浄機。
【請求項２３】
前記モード選択部によって前記第５の運転モードが選択された場合には、前記洗浄ユニットは、研磨剤を含まず中性洗剤を含む洗浄水を前記ノズルから噴出する
請求項２１または２２に記載の食器洗浄機。
【請求項２４】
前記食器配置台を保持して搬送路に沿って搬送する可動体をさらに備え、
前記乾燥ユニットと前記洗浄ユニットとは、前記搬送路に沿って配置されている
請求項１から２３までのいずれか１項に記載の食器洗浄機。
【請求項２５】
シンクと、
前記シンクの底部に沿って設けられた洗浄エリアと、
前記シンクの周壁部に沿って設けられ乾燥エリアと
食器が配置される食器配置台と、
前記洗浄エリア内を水平に移動し、前記乾燥エリア内を垂直に移動することにより、前記食器配置台を、前記洗浄エリアと前記乾燥エリアとを通過するように搬送する可動体と、
前記洗浄エリアに洗浄水を噴出するノズルを有する洗浄ユニットと、
前記乾燥エリアに空気を送風する送風機を有する乾燥ユニットと
を備えた食器洗浄機。
【請求項２６】
前記シンクには、前記洗浄エリアに隣接して、前記可動体を収納可能な退避部が設けられ、
前記可動体が前記洗浄エリア内で移動を開始したのちに、別の可動体が前記退避部から前記洗浄エリア内に移動する
請求項２５に記載の食器洗浄機。
【請求項２７】
前記シンクの前記乾燥エリアの上方に、前記食器配置台を収納する収納ユニットをさらに備える
請求項２５または２６に記載の食器洗浄機。
【請求項２８】
前記可動体は、前記シンクの前記乾燥エリアを通過して、前記収納ユニットの内部に侵入する
請求項２７に記載の食器洗浄機。
【請求項２９】
前記可動体は、前記シンクの前記乾燥エリアを通過して、前記シンクの上端よりも上方の位置で、前記食器配置台を保持したまま停止する
請求項２５または２６までのいずれか１項に記載の食器洗浄機。
【請求項３０】
前記シンクは、前記洗浄エリアの上方に入口エリアを有し、
前記洗浄エリアと前記入口エリアとを仕切る仕切板をさらに備える
請求項２５から２９までのいずれか１項に記載の食器洗浄機。
【請求項３１】
前記仕切板は、穴を有し、
前記シンクは、その底部に排水溝を有する
請求項３０に記載の食器洗浄機。
【請求項３２】
前記仕切板を、前記洗浄エリアと前記入口エリアとを仕切る閉位置と、前記洗浄エリアと前記入口エリアとを連通する開位置との間で駆動する仕切板駆動機構をさらに備える
請求項３０または３１に記載の食器洗浄機。
【請求項３３】
前記シンクには、前記仕切板を取り外し可能に支持する仕切板支持部が設けられている
請求項３０から３２までのいずれか１項に記載の食器洗浄機。
【請求項３４】
前記シンクの前記入口エリアと前記乾燥エリアとを仕切る仕切壁をさらに備える
請求項３０から３３までのいずれか１項に記載の食器洗浄機。
【請求項３５】
前記シンクは、前記洗浄エリアの上方に前記乾燥エリアを有し、
前記洗浄エリアと前記乾燥エリアとを仕切る、取り外し可能な仕切板をさらに備える
請求項２５から２９までのいずれか１項に記載の食器洗浄機。
【請求項３６】
前記可動体が前記洗浄エリアに設けられた待機位置にあるときに、前記可動体に前記食器配置台が載せられたことを検知する検知センサをさらに備える
請求項２５から３５までのいずれか１項に記載の食器洗浄機。
【請求項３７】
複数の食器配置台のうちの何れかをセット位置にセットするステップと、
セット位置にセットされた前記食器配置台の種類を検出し、検出した前記食器配置台の種類に対応する運転モードを選択するステップと、
洗浄水を噴出するノズルを用い、選択された運転モードに応じた洗浄水を前記ノズルから噴出することにより、前記食器配置台に配置された食器を洗浄するステップと、
空気を送風する送風機を用い、選択された運転モードに応じた温度の空気を前記送風機から送風することにより、前記食器配置台に配置された前記食器を乾燥するステップと
を有する食器洗浄方法。
【手続補正２】
【補正対象書類名】明細書
【補正対象項目名】００１０
【補正方法】変更
【補正の内容】
【００１０】
【図１】実施の形態１の食器洗浄機を備えたキッチンを示す斜視図である。
【図２】実施の形態１の食器洗浄機を示す断面図である。
【図３】実施の形態１の食器洗浄機のシンクの仕切板の例を示す模式図（Ａ）、（Ｂ）である。
【図４】実施の形態１の食器洗浄機の仕切板が回動している状態を示す断面図である。
【図５】実施の形態１の食器洗浄機の仕切板が開位置に達した状態を示す断面図である。
【図６】実施の形態１の食器洗浄機の可動体と食器配置台とを示す斜視図である。
【図７】実施の形態１の食器洗浄機の可動体を含む搬送機構を示す模式図である。
【図８】実施の形態１の食器洗浄機の可動体と食器配置台とを示す斜視図である。
【図９】実施の形態１の食器洗浄機の５種類の食器配置台を示す模式図（Ａ）〜（Ｅ）である。
【図１０】実施の形態１の食器洗浄機の食器配置台に取り付けられたＩＣタグと、ＩＣタグの情報を読み取る読取装置とを示す図である。
【図１１】実施の形態１の食器洗浄機の食器配置台の重量を検出する重量センサを示す図である。
【図１２】実施の形態１の洗浄ユニットの洗剤供給部を示す模式図である。
【図１３】実施の形態１の食器洗浄機の収納ユニット（Ａ）と、収納ユニットに設けられた保持部（Ｂ）を示す模式図である。
【図１４】実施の形態１の食器洗浄機の収納ユニットへの食器配置台の収納方法を示す模式図（Ａ）〜（Ｃ）である。
【図１５】実施の形態１の食器洗浄機の制御系を示すブロック図である。
【図１６】実施の形態１の運転モードの内容を示す一覧表である。
【図１７】実施の形態１の食器洗浄機の動作を示すフローチャートである。
【図１８】実施の形態１の食器洗浄機の動作を示す図である。
【図１９】実施の形態１の食器洗浄機の動作を示す図である。
【図２０】実施の形態１の食器洗浄機の動作を示す図である。
【図２１】実施の形態１の食器洗浄機の動作を示す図である。
【図２２】実施の形態１の食器洗浄機の動作を示す図である。
【図２３】実施の形態１の食器洗浄機の動作を示す図である。
【図２４】実施の形態２の食器洗浄機を示す図である。
【図２５】実施の形態３の食器洗浄機を示す図である。
【図２６】実施の形態４の食器洗浄機を示す図である。
【図２７】実施の形態５の食器洗浄機を示す図である。
【図２８】実施の形態５の食器洗浄機を示す図である。
【国際調査報告】
2019087283.tif 000031
2019087283.tif 000032
2019087283.tif 000033
2019087283.tif 000034
2019087283.tif 000035
2019087283.tif 000036
2019087283.tif 000037
2019087283.tif 000038
2019087283.tif 000039